(57)【要約】【課題】情報検索装置において、過去の検索画面のうち見たい検索画面まで一気に遡って見ることができるだけでなく、そこから迅速に新たな検索を行うこと。【解決手段】一連の検索処理に伴い各検索動作に応じた検索画面Ga,Gb,…が生成されタッチパネル表示部17に表示される毎に、当該各画面Ga,Gb,…の画像データP1,P2,…と各画面生成時の動作データとが対応付けられて検索履歴データメモリに登録される。登録された各画面Ga,Gb,…の画像データP1,P2,…は、検索履歴アイコンHSのユーザ操作に応じて、当該各画像P1,P2,…を横に並べて一覧にした検索履歴画像画面Gshとして表示される。この検索履歴画像画面Gshにおいて、任意の検索画面Gの画像データPnがユーザタッチTされて選択されると、選択された画像データPnに対応付けられて登録されている動作データが再実行されてその検索画面Gが再生成され表示部17に再表示される。【選択図】      図１３
2014063284.tif 000002
【特許請求の範囲】
【請求項１】
表示部と、
ユーザ操作に応じた検索処理に対応した検索画面を生成して前記表示部に表示させる検索画面生成手段と、
前記検索画面生成手段により検索画面が順次生成されて表示される毎に、当該検索画面の画像データと当該検索画面の生成に伴う動作情報とを対応付けて登録する検索履歴登録手段と、
この検索履歴登録手段により登録された各検索画面の画像データを前記表示部に一覧表示させる検索履歴一覧表示制御手段と、
この検索履歴一覧表示制御手段により表示された各検索画面の画像データの何れかをユーザ操作に応じて選択する履歴画像選択手段と、
この履歴画像選択手段により選択された画像データと対応付けられて前記検索履歴登録手段により登録されている動作データに基づき、当該画像データに対応する検索画面をユーザ操作可能に再作成して、前記表示部に表示させる検索画面再表示制御手段と、
を備えたことを特徴とする情報検索装置。
【請求項２】
前記履歴画像選択手段により一定時間以上同じ検索画面の画像データが選択されたか否かを判断する選択継続判断手段を備え、
前記検索画面再表示制御手段は、前記選択継続判断手段により一定時間以上同じ検索画面の画像データが選択されたと判断された場合に、当該選択された画像データと対応付けられて前記検索履歴登録手段により登録されている動作データに基づき、同画像データに対応する検索画面を再作成して前記表示部に表示させる、
ことを特徴とする請求項１に記載の情報検索装置。
【請求項３】
前記表示部は、タッチパネル式表示部であって、
前記検索処理に対応した検索画面には、検索された見出し語を上下方向に配列した見出し語一覧エリアと当該見出し語一覧エリアでタッチ選択された見出し語に対応する説明情報を表記したプレビューエリアとを併せてなる検索画面が含まれ、
前記検索履歴一覧表示制御手段は、前記検索履歴登録手段により登録された各検索画面の画像データを前記タッチパネル式表示部に左右方向に順番に並べて一覧表示させ、
前記履歴画像選択手段は、前記検索履歴一覧表示制御手段により左右方向に並べて表示された各検索画面の画像データの何れかをユーザタッチ操作に応じて選択する、
ことを特徴とする請求項１または請求項２に記載の情報検索装置。
【請求項４】
前記検索処理に対応した検索画面には、さらに、タッチ操作により検索文字の入力待ちに設定される検索文字入力エリアと当該検索文字入力エリアに入力された検索文字に対応して検索された見出し語を一覧にした見出し語一覧エリアと当該見出し語一覧エリアでタッチ選択された見出し語に対応する説明情報を表記したプレビューエリアとを併せてなるすぐ出る検索画面が含まれる、
ことを特徴とする請求項３に記載の情報検索装置。
【請求項５】
表示部を備えた電子機器のコンピュータを制御するための情報検索方法であって、
ユーザ操作に応じた検索処理に対応した検索画面を生成して前記表示部に表示させ、
前記検索処理に対応した検索画面が順次生成されて表示される毎に、当該検索画面の画像データと当該検索画面の生成に伴う動作情報とを対応付けて登録し、
この登録された各検索画面の画像データを前記表示部に一覧表示させ、
この一覧表示された各検索画面の画像データの何れかをユーザ操作に応じて選択し、
この選択された画像データと対応付けられて前記登録されている動作データに基づき、当該画像データに対応する検索画面をユーザ操作可能に再作成して、前記表示部に表示させる、
ことを特徴とする情報検索方法。
【請求項６】
表示部を備えた電子機器のコンピュータを制御するためのプログラムであって、
前記コンピュータを、
ユーザ操作に応じた検索処理に対応した検索画面を生成して前記表示部に表示させる検索画面生成手段、
前記検索画面生成手段により検索画面が順次生成されて表示される毎に、当該検索画面の画像データと当該検索画面の生成に伴う動作情報とを対応付けて登録する検索履歴登録手段、
この検索履歴登録手段により登録された各検索画面の画像データを前記表示部に一覧表示させる検索履歴一覧表示制御手段、
この検索履歴一覧表示制御手段により表示された各検索画面の画像データの何れかをユーザ操作に応じて選択する履歴画像選択手段、
この履歴画像選択手段により選択された画像データと対応付けられて前記検索履歴登録手段により登録されている動作データに基づき、当該画像データに対応する検索画面をユーザ操作可能に再作成して、前記表示部に表示させる検索画面再表示制御手段、
として機能させるためのプログラム。
【発明の詳細な説明】
【技術分野】
【０００１】
本発明は、辞書情報等の情報を検索するための情報検索装置、情報検索方法、およびその制御プログラムに関する。
【背景技術】
【０００２】
例えば電子辞書での辞書情報の検索やＷｅｂ検索等では、関連する情報を辿って複数の検索表示画面に遷移して行った場合、１つ前の画面に戻る「戻る操作」を行なうことができる。そして、この「戻る操作」を何回も行なって、検索表示画面を逆に遡って表示させることができる。
【０００３】
従来の情報検索装置であって、繰り返されて検索された複数の検索結果を、「戻る」ボタンの操作に応じて順次遡って表示させることが考えられている（例えば、特許文献１参照。）。
【０００４】
従来の表示制御装置であって、コンテンツ同士の関連を辿って検索した場合に、その辿ったコンテンツ同士をサムネイルにして一覧表示させることが考えられている（例えば、特許文献２参照。）。
【先行技術文献】
【特許文献】
【０００５】
【特許文献１】特開２０１２−７３９０３号公報
【特許文献２】特開２００８−１９７９２５号公報
【発明の概要】
【発明が解決しようとする課題】
【０００６】
しかし、前記従来の情報検索装置では、ユーザが見たい検索表示画面まで幾つも遡って表示させる場合、１回１回繰り返し「戻る操作」を行なう必要があり面倒であるばかりでなく、当該「戻る操作」を行う毎にその戻った時点での検索処理が再実行されて画面表示されるため、動作も遅く大変不便であった。
【０００７】
また、前記従来の表示制御装置では、過去に辿ったコンテンツ同士をサムネイルにして一覧表示させることができるものの、一覧表示された任意のコンテンツから新たなコンテンツを検索して行くことはできない。
【０００８】
本発明は、このような課題に鑑みなされたもので、過去の検索画面のうち見たい検索画面まで一気に遡って見ることができるだけでなく、そこから迅速に新たな検索を行うことが可能になる情報検索装置、情報検索方法、およびその制御プログラムを提供することを目的とする。
【課題を解決するための手段】
【０００９】
本発明に係る情報検索装置は、表示部と、ユーザ操作に応じた検索処理に対応した検索画面を生成して前記表示部に表示させる検索画面生成手段と、前記検索画面生成手段により検索画面が順次生成されて表示される毎に、当該検索画面の画像データと当該検索画面の生成に伴う動作情報とを対応付けて登録する検索履歴登録手段と、この検索履歴登録手段により登録された各検索画面の画像データを前記表示部に一覧表示させる検索履歴一覧表示制御手段と、この検索履歴一覧表示制御手段により表示された各検索画面の画像データの何れかをユーザ操作に応じて選択する履歴画像選択手段と、この履歴画像選択手段により選択された画像データと対応付けられて前記検索履歴登録手段により登録されている動作データに基づき、当該画像データに対応する検索画面をユーザ操作可能に再作成して、前記表示部に表示させる検索画面再表示制御手段と、を備えたことを特徴としている。
【００１０】
本発明に係る情報検索方法は、表示部を備えた電子機器のコンピュータを制御するための情報検索方法であって、ユーザ操作に応じた検索処理に対応した検索画面を生成して前記表示部に表示させ、前記検索処理に対応した検索画面が順次生成されて表示される毎に、当該検索画面の画像データと当該検索画面の生成に伴う動作情報とを対応付けて登録し、この登録された各検索画面の画像データを前記表示部に一覧表示させ、この一覧表示された各検索画面の画像データの何れかをユーザ操作に応じて選択し、この選択された画像データと対応付けられて前記登録されている動作データに基づき、当該画像データに対応する検索画面をユーザ操作可能に再作成して、前記表示部に表示させる、ことを特徴としている。
【００１１】
本発明に係るプログラムは、表示部を備えた電子機器のコンピュータを制御するためのプログラムであって、前記コンピュータを、ユーザ操作に応じた検索処理に対応した検索画面を生成して前記表示部に表示させる検索画面生成手段、前記検索画面生成手段により検索画面が順次生成されて表示される毎に、当該検索画面の画像データと当該検索画面の生成に伴う動作情報とを対応付けて登録する検索履歴登録手段、この検索履歴登録手段により登録された各検索画面の画像データを前記表示部に一覧表示させる検索履歴一覧表示制御手段、この検索履歴一覧表示制御手段により表示された各検索画面の画像データの何れかをユーザ操作に応じて選択する履歴画像選択手段、この履歴画像選択手段により選択された画像データと対応付けられて前記検索履歴登録手段により登録されている動作データに基づき、当該画像データに対応する検索画面をユーザ操作可能に再作成して、前記表示部に表示させる検索画面再表示制御手段、として機能させることを特徴としている。
【発明の効果】
【００１２】
本発明によれば、過去の検索画面のうち見たい検索画面まで一気に遡って見ることができるだけでなく、そこから迅速に新たな検索を行うことが可能になる。
【図面の簡単な説明】
【００１３】
【図１】本発明の情報検索装置の実施形態に係るタッチパネル式ＰＤＡ１０の電子回路の構成を示すブロック図。
【図２】前記タッチパネル式ＰＤＡ１０の外観構成を示す正面図。
【図３】前記タッチパネル式ＰＤＡ１０のメモリ１２に確保された検索履歴データメモリ１２ｄの内容（その１）を示す図。
【図４】前記タッチパネル式ＰＤＡ１０のメモリ１２に確保された検索履歴データメモリ１２ｄの内容（その２）を示す図。
【図５】前記タッチパネル式ＰＤＡ１０による情報検索制御処理（その１）を示すフローチャート。
【図６】前記タッチパネル式ＰＤＡ１０による情報検索制御処理（その２）を示すフローチャート。
【図７】前記タッチパネル式ＰＤＡ１０の情報検索制御処理に伴う検索履歴表示制御処理を示すフローチャート。
【図８】前記タッチパネル式ＰＤＡ１０の情報検索制御処理に伴うタッチパネル表示部１７での表示動作（その１）を示す図。
【図９】前記タッチパネル式ＰＤＡ１０の情報検索制御処理に伴うタッチパネル表示部１７での表示動作（その２）を示す図。
【図１０】前記タッチパネル式ＰＤＡ１０の情報検索制御処理に伴うタッチパネル表示部１７での表示動作（その３）を示す図。
【図１１】前記タッチパネル式ＰＤＡ１０の情報検索制御処理に伴うタッチパネル表示部１７での表示動作（その４）を示す図。
【図１２】前記タッチパネル式ＰＤＡ１０の情報検索制御処理に伴うタッチパネル表示部１７での表示動作（その５）を示す図。
【図１３】前記タッチパネル式ＰＤＡ１０の情報検索制御処理に伴うタッチパネル表示部１７での表示動作（その６）を示す図。
【図１４】前記タッチパネル式ＰＤＡ１０の情報検索制御処理に伴うタッチパネル表示部１７での表示動作（その７）を示す図。
【図１５】前記タッチパネル式ＰＤＡ１０の情報検索制御処理に伴うタッチパネル表示部１７での表示動作（その８）を示す図。
【発明を実施するための形態】
【００１４】
以下図面により本発明の実施の形態について説明する。
【００１５】
図１は、本発明の情報検索装置の実施形態に係るタッチパネル式ＰＤＡ１０の電子回路の構成を示すブロック図である。
【００１６】
この情報検索装置は、以下に説明する情報検索制御機能を備えたタッチパネル式ＰＤＡ(personal digital assistants)１０として構成されるか、ＰＣ(personal computer)、携帯電話、電子ブック、携帯ゲーム機、情報検索専用の電子辞書装置等として構成される。
【００１７】
図２は、前記タッチパネル式ＰＤＡ１０の外観構成を示す正面図である。
【００１８】
このタッチパネル式ＰＤＡ１０は、各種の記録媒体に記録されたプログラム、又は、伝送されたプログラムを読み込んで、その読み込んだプログラムによって動作が制御されるコンピュータによって構成され、その電子回路には、ＣＰＵ(central processing unit)１１が備えられる。
【００１９】
ＣＰＵ１１は、メモリ１２内に予め記憶された装置制御プログラム、あるいはＲＯＭカードなどの外部記録媒体１３から記録媒体読取部１４を介して前記メモリ１２に読み込まれた装置制御プログラム、あるいはインターネットＮ上のＷｅｂサーバ（この場合はプログラムサーバ）から通信部１５を介して前記メモリ１２に読み込まれた装置制御プログラムに応じて、回路各部の動作を制御する。
【００２０】
前記メモリ１２に記憶された装置制御プログラムは、キー入力部１６、タッチパネル式カラー表示部１７からのユーザ操作に応じた入力信号、あるいは通信部１５を介して接続されるインターネットＮ上の各Ｗｅｂサーバとの通信信号、あるいは記録媒体読取部１４を介して外部接続されるＥＥＰＲＯＭ，ＲＡＭ，ＲＯＭなどのメモリ・カード（記録媒体）１３との接続通信信号に応じて起動される。
【００２１】
前記ＣＰＵ１１には、前記メモリ１２、記録媒体読取部１４、通信部１５、キー入力部１６、タッチパネル式カラー表示部１７などが接続される。
【００２２】
メモリ１２に記憶される装置制御プログラムとしては、当該タッチパネル式ＰＤＡ１０の全体の動作を司るシステムプログラムや、通信部１５を介してインターネットＮ上の各Ｗｅｂサーバや図示しないユーザＰＣなどとデータ通信するための通信プログラムが記憶される。
【００２３】
また、情報検索制御機能として、検索語（文字列）の入力に応じて見出し語を検索する見出し語検索処理、検索された見出し語に対応した説明情報（訳語・意味内容など）の読み出し表示処理、表示された説明情報の中のユーザ任意の文字列を指定し当該指定の文字列を任意の辞書にジャンプして検索するジャンプ検索処理、個々の検索処理に伴いその検索履歴を登録する検索履歴登録処理、登録された検索履歴を表示させる検索履歴表示処理、表示された検索履歴から新たな検索処理を再実行させる検索再実行処理など、同メモリ１２内に確保された辞書データベース１２ｂ、テキストデータベース１２ｃ、検索履歴データメモリ１２ｄに基づく処理全般を制御するための各種情報検索制御プログラム１２ａが記憶される。
【００２４】
前記辞書データベース１２ｂには、各種の国語系辞書１，２，…、各種の百科事典１，２，…、各種の英語系辞書１，２，…等、種々の言語、分野の辞書データが予めあるいはダウンロードされて記憶される。
【００２５】
前記テキストデータベース１２ｃには、文学、小説、演説集等、種々のテキストデータが予めあるいはダウンロードされて記憶される。
【００２６】
図３は、前記タッチパネル式ＰＤＡ１０のメモリ１２に確保された検索履歴データメモリ１２ｄの内容（その１）を示す図である。
【００２７】
図４は、前記タッチパネル式ＰＤＡ１０のメモリ１２に確保された検索履歴データメモリ１２ｄの内容（その２）を示す図である。
【００２８】
検索履歴データメモリ１２ｄには、前記辞書データベース１２ｂやテキストデータベース１２ｂの各種のデータに基づいた検索処理を行う過程において、個々の検索画面Ｇａ，Ｇｂ，Ｇｃ，…に遷移する都度、その直前の検索画面Ｇａ，Ｇｂ，…の表示に応じた動作データと当該検索画面Ｇａ，Ｇｂ，…の画像データＰ１，Ｐ２，…とが対応付けられて登録される。
【００２９】
この図３、図４で示す検索履歴データメモリ１２ｄの具体例において、履歴データ１としては、検索語入力エリアｅと検索された見出し語一覧エリアＬｍと指定表示ｈされた見出し語説明情報のプレビューエリアｖｉとを配置した［すぐ出る検索画面Ｇａ］の画像データＰ１とその動作データが登録される。また、同履歴データ２としては、選択された見出し語の［説明情報表示画面Ｇｂ１］の画像データＰ２とその動作データが登録される。また、同履歴データ３としては、ジャンプ検索文字が指定された［説明情報表示画面Ｇｂ２］の画像データＰ３とその動作データが登録される。また、同履歴データ４としては、前記ジャンプ検索文字に応じた［ジャンプ検索辞書選択画面Ｇｃ１］の画像データＰ４とその動作データが登録される。また、同履歴データ５としては、ジャンプ検索辞書が指定表示ｈされた［ジャンプ検索辞書選択画面Ｇｃ２］の画像データＰ５とその動作データが登録される。また、同履歴データ６としては、ジャンプ検索された見出し語一覧エリアＬｍと指定表示ｈされた見出し語説明情報のプレビューエリアｖｉとを配置した［ジャンプ先見出し語選択画面Ｇｄ］の画像データＰ６とその動作データが登録される。また、同履歴データ７としては、選択されたジャンプ先見出し語の［説明情報表示画面Ｇｂ３］の画像データＰ７とその動作データが登録される。
【００３０】
なお、このような情報検索制御機能に従ってタッチパネル式カラー表示部１７（以下「タッチパネル表示部１７」と称す）に表示される各種の画面Ｇａ，Ｇｂ，…を、総じて検索画面Ｇａ，Ｇｂ，…と称す。
【００３１】
このタッチパネル式ＰＤＡ１０の情報検索制御機能では、前記検索履歴データメモリ１２ｄに登録された検索履歴データに基づいて、例えば図２に示すように、前回までの各検索画面Ｇａ，Ｇｂ，…の画像データＰ１，Ｐ２，…を順次一覧に配した検索履歴画像画面Ｇｓｈを表示させることができ、タッチ操作（Ｔ）によりそのうち任意の画像データＰｎを選択表示（最前面に表示）させることができる。そして、選択表示された画像データＰｎに対応付けられて登録されている動作データを再実行させて、そのときの検索画面Ｇを迅速に再表示させることができる。これにより、一気に所望の検索動作時点まで処理を戻して新たな処理を行うことができる。
【００３２】
このように構成されたタッチパネル式ＰＤＡ１０は、ＣＰＵ１１が前記情報検索制御プログラム１２ａ（見出し語検索処理、説明情報表示処理、ジャンプ検索処理、検索履歴登録処理、検索履歴表示処理、検索再実行処理等を実行するためのプログラムを含む）に記述された命令に従い回路各部の動作を制御し、ソフトウエアとハードウエアとが協働して動作することにより、以下の動作説明で述べる機能を実現する。
【００３３】
次に、前記構成のタッチパネル式ＰＤＡ１０による情報検索制御機能について説明する。
【００３４】
図５は、前記タッチパネル式ＰＤＡ１０による情報検索制御処理（その１）を示すフローチャートである。
【００３５】
図６は、前記タッチパネル式ＰＤＡ１０による情報検索制御処理（その２）を示すフローチャートである。
【００３６】
図７は、前記タッチパネル式ＰＤＡ１０の情報検索制御処理に伴う検索履歴表示制御処理を示すフローチャートである。
【００３７】
図８は、前記タッチパネル式ＰＤＡ１０の情報検索制御処理に伴うタッチパネル表示部１７での表示動作（その１）を示す図である。
【００３８】
図９は、前記タッチパネル式ＰＤＡ１０の情報検索制御処理に伴うタッチパネル表示部１７での表示動作（その２）を示す図である。
【００３９】
図１０は、前記タッチパネル式ＰＤＡ１０の情報検索制御処理に伴うタッチパネル表示部１７での表示動作（その３）を示す図である。
【００４０】
図１１は、前記タッチパネル式ＰＤＡ１０の情報検索制御処理に伴うタッチパネル表示部１７での表示動作（その４）を示す図である。
【００４１】
図１２は、前記タッチパネル式ＰＤＡ１０の情報検索制御処理に伴うタッチパネル表示部１７での表示動作（その５）を示す図である。
【００４２】
図１３は、前記タッチパネル式ＰＤＡ１０の情報検索制御処理に伴うタッチパネル表示部１７での表示動作（その６）を示す図である。
【００４３】
図１４は、前記タッチパネル式ＰＤＡ１０の情報検索制御処理に伴うタッチパネル表示部１７での表示動作（その７）を示す図である。
【００４４】
図１５は、前記タッチパネル式ＰＤＡ１０の情報検索制御処理に伴うタッチパネル表示部１７での表示動作（その８）を示す図である。
【００４５】
ユーザ操作に応じて、各種アプリケーションプログラムの選択メニューから選択された情報検索制御プログラム１２ａが起動され、辞書検索モードが選択された後（ステップＳ１（Ｙｅｓ））、辞書データベース１２ｂに記憶されている何れかの辞書が選択（ここでは「複数辞書日本語検索」を選択）されると、図８（Ａ）に示すように、当該選択された辞書に応じた［すぐ出る検索画面Ｇａ］がタッチパネル表示部１７に表示される（ステップＳ２）。
【００４６】
ここで、タッチパネル表示部１７の空きエリアを使用して所望の検索語「うるうどし」が手書き入力されると（ステップＳ３）、入力された手書き文字が文字認識され、前記［すぐ出る検索画面Ｇａ］の検索語（文字）入力エリアｅに表示される（ステップＳ４）。
【００４７】
ユーザ操作に応じて検索の実行が指示されるか、又は前記手書き文字の入力後に一定時間が経過すると、前記選択されている辞書［複数辞書］を対象に前記検索語「うるうどし」に対応した見出し語が検索され、見出し語一覧エリアＬｍに一覧表示される（ステップＳ５）。
【００４８】
すると、前記見出し語一覧エリアＬｍに一覧表示された先頭の見出し語「うるうどし［閏年］」が反転されて指定表示ｈされ、この指定表示ｈされた見出し語の説明情報が該当の辞書から読み出されプレビューエリアｖｉに表示される（ステップＳ６）。
【００４９】
こうして、前記［すぐ出る検索画面Ｇａ］での一遷移が確定すると、前記検索語「うるうどし」が入力され、見出し語「うるうどし［閏年］」が指定表示ｈされ、その説明情報がプレビュー表示された当該［すぐ出る検索画面Ｇａ］の画像データＰ１がその動作データと対応付けられて、検索履歴データメモリ１２ｄ（図３参照）の履歴データ（操作対応画像）１として登録される（ステップＳ７）。
【００５０】
すると、図７おける検索履歴表示制御処理へ移行されるが（ステップＳＡ）、ここでは、検索履歴データメモリ１２ｄに前回までの履歴データは未だ存在しないので、検索履歴アイコンＨＳは表示されることなくメイン処理に戻る（ステップＡ１，Ａ２（Ｎｏ）→リターン）。
【００５１】
この後、前記［すぐ出る検索画面Ｇａ］において、見出し語一覧エリアＬｍに表示されている何れかの見出し語がユーザタッチＴされて指定表示ｈされると（ステップＳ８）、指定表示ｈされた見出し語の説明情報が該当する辞書から読み出されプレビューエリアｖｉに表示される（ステップＳ９）。
【００５２】
そして、前記見出し語一覧エリアＬｍにおいてユーザタッチＴが検出されなくなった時点で指定表示ｈされていた見出し語（ここでは「うるうどし［閏年］」）が選択され（ステップＳ１０）、図８（Ｂ）に示すように、当該選択された見出し語に対応する説明情報が［説明情報表示画面Ｇｂ１］としてタッチパネル表示部１７に表示される（ステップＳ１１）。
【００５３】
こうして、前記［説明情報表示画面Ｇｂ１］への一遷移が確定すると、前記検索対象として選択された辞書での見出し語「うるうどし［閏年］」に対応した当該［説明情報表示画面Ｇｂ１］の画像データＰ２がその動作データと対応付けられて、検索履歴データメモリ１２ｄ（図３参照）の履歴データ（操作対応画像）２として登録される（ステップＳ１２）。
【００５４】
すると、図７おける検索履歴表示制御処理へ移行され（ステップＳＡ）、前記検索履歴データメモリ１２ｄに前回までの履歴データ（ここでは履歴データ１のみ）として登録されている検索画面の画像データ（ここでは検索画面Ｇａの画像データＰ１）が並べられ、当該画像データが縮小された検索履歴アイコンＨＳとして前記タッチパネル表示部１７の左下に表示される（ステップＡ１，Ａ２（Ｎｏ）→リターン）。
【００５５】
前記見出し語「うるうどし［閏年］」に対応した［説明情報表示画面Ｇｂ１］において、図８（Ｃ）に示すように、ジャンプ検索の対象としたい文字（ここでは「閏」）がユーザタッチＴされて指定表示ｈされ、［説明情報表示画面Ｇｂ２］への一遷移が確定すると（ステップＳ１３（Ｙｅｓ））、当該［説明情報表示画面Ｇｂ２］の画像データＰ３がその動作データと対応付けられて、検索履歴データメモリ１２ｄ（図３参照）の履歴データ（操作対応画像）３として登録される（ステップＳ１４）。
【００５６】
すると、図７おける検索履歴表示制御処理へ移行され（ステップＳＡ）、前記検索履歴データメモリ１２ｄに前回までの履歴データ（ここでは履歴データ１，２）として登録されている検索画面の画像データ（ここでは検索画面Ｇａ，Ｇｂ１の画像データＰ１，Ｐ２）が並べられ、当該画像データが縮小された検索履歴アイコンＨＳとして前記タッチパネル表示部１７の左下に表示される（ステップＡ１，Ａ２（Ｎｏ）→リターン）。
【００５７】
ここで、前記［説明情報表示画面Ｇｂ２］において、ジャンプ検索の対象文字「閏」に対するユーザタッチＴが検出されなくなったと判断されると（ステップＳ１５（Ｙｅｓ））、図９（Ａ）に示すように、前記ジャンプ検索対象文字「閏」に応じたジャンプ検索先の辞書の一覧のうち先頭の辞書［国語大辞典］がデフォルトとして指定表示ｈされた［ジャンプ検索辞書選択画面Ｇｃ１］がタッチパネル表示部１７に表示される（ステップＳ１６）。
【００５８】
こうして、前記［ジャンプ検索辞書選択画面Ｇｃ１］への一遷移が確定すると、当該［ジャンプ検索辞書選択画面Ｇｃ１］の画像データＰ４がその動作データと対応付けられて、検索履歴データメモリ１２ｄ（図３参照）の履歴データ（操作対応画像）４として登録される（ステップＳ１７）。
【００５９】
すると、図７おける検索履歴表示制御処理へ移行され（ステップＳＡ）、前記検索履歴データメモリ１２ｄに前回までの履歴データ（ここでは履歴データ１，２，３）として登録されている検索画面の画像データ（ここでは検索画面Ｇａ，Ｇｂ１，Ｇｂ２の画像データＰ１，Ｐ２，Ｐ３）が並べられ、当該画像データが縮小された検索履歴アイコンＨＳとして前記タッチパネル表示部１７の左下に表示される（ステップＡ１，Ａ２（Ｎｏ）→リターン）。
【００６０】
前記［ジャンプ検索辞書選択画面Ｇｃ１］において、図９（Ｂ）に示すように、ジャンプ検索先の辞書（ここでは［漢字辞典］）がユーザタッチＴされて指定表示ｈされ、［ジャンプ検索辞書選択画面Ｇｃ２］への一遷移が確定すると（ステップＳ１８（Ｙｅｓ））、当該［ジャンプ検索辞書選択画面Ｇｃ２］の画像データＰ５がその動作データと対応付けられて、検索履歴データメモリ１２ｄ（図３参照）の履歴データ（操作対応画像）５として登録される（ステップＳ１９）。
【００６１】
すると、図７おける検索履歴表示制御処理へ移行され（ステップＳＡ）、前記検索履歴データメモリ１２ｄに前回までの履歴データ（ここでは履歴データ１，２，３，４）として登録されている検索画面の画像データ（ここでは検索画面Ｇａ，Ｇｂ１，Ｇｂ２，Ｇｃ１の画像データＰ１，Ｐ２，Ｐ３，Ｐ４）が並べられ、当該画像データが縮小された検索履歴アイコンＨＳとして前記タッチパネル表示部１７の左下に表示される（ステップＡ１，Ａ２（Ｎｏ）→リターン）。
【００６２】
そして、図９（Ｃ）に示すように、前記ジャンプ検索先の辞書として指定表示ｈされた［漢字辞典］を対象に、前記ジャンプ検索対象文字「閏」を検索した見出し語一覧エリアＬｍと見出し語説明情報のプレビューエリアｖｉとを配置した［ジャンプ先見出し語選択画面Ｇｄ］がタッチパネル表示部１７に表示され（ステップＳ２０）、何れかの見出し語（ここでは「閏」）がユーザタッチＴされて指定表示ｈされると（ステップＳ２１）、当該［ジャンプ先見出し語選択画面Ｇｄ］への一遷移が確定し、同［ジャンプ先見出し語選択画面Ｇｄ］の画像データＰ６がその動作データと対応付けられて、検索履歴データメモリ１２ｄ（図３参照）の履歴データ（操作対応画像）６として登録される（ステップＳ２２）。
【００６３】
すると、図７おける検索履歴表示制御処理へ移行され（ステップＳＡ）、前記検索履歴データメモリ１２ｄに前回までの履歴データ（ここでは履歴データ１，２，３，４，５）として登録されている検索画面の画像データ（ここでは検索画面Ｇａ，Ｇｂ１，Ｇｂ２，Ｇｃ１，Ｇｃ２の画像データＰ１，Ｐ２，Ｐ３，Ｐ４，Ｐ５）が並べられ、当該画像データが縮小された検索履歴アイコンＨＳとして前記タッチパネル表示部１７の左下に表示される（ステップＡ１，Ａ２（Ｎｏ）→リターン）。
【００６４】
そして、図１０（Ａ）に示すように、見出し語「閏」に対応した説明情報がジャンプ先辞書［漢字辞典］から読み出され［説明情報表示画面Ｇｂ３］としてタッチパネル表示部１７に表示される（ステップＳ２３）。
【００６５】
この見出し語「閏」に対応した［説明情報表示画面Ｇｂ３］への一遷移が確定すると、当該［説明情報表示画面Ｇｂ３］の画像データＰ７がその動作データと対応付けられて、検索履歴データメモリ１２ｄ（図３参照）の履歴データ（操作対応画像）７として登録される（ステップＳ２４）。
【００６６】
すると、図７おける検索履歴表示制御処理へ移行され（ステップＳＡ）、前記検索履歴データメモリ１２ｄに前回までの履歴データ（ここでは履歴データ１，２，３，４，５，６）として登録されている検索画面の画像データ（ここでは検索画面Ｇａ，Ｇｂ１，Ｇｂ２，Ｇｃ１，Ｇｃ２，Ｇｄの画像データＰ１，Ｐ２，Ｐ３，Ｐ４，Ｐ５，Ｐ６）が並べられ、当該画像データが縮小された検索履歴アイコンＨＳとして前記タッチパネル表示部１７の左下に表示される（ステップＡ１）。
【００６７】
なお、前記［説明情報表示画面Ｇｂ３］において、ユーザタッチＴを下方向にスライドｄｓさせると、図１０（Ｂ）に示すように、その説明情報の内容がスクロールされて表示される。
【００６８】
ここで、前記一連の情報検索制御処理に応じた検索履歴データ（１２ｄ）を利用して、その何れかの検索画面から別の検索画面へと遷移させて新たな検索を行いたい場合に、タッチパネル表示部１７の左下に表示されている検索履歴アイコンＨＳがユーザタッチＴされると（ステップＡ２（Ｙｅｓ））、前記検索履歴データメモリ１２ｄ（図３参照）に前回までの履歴データ１〜６として登録されている各検索画面Ｇａ〜Ｇｄの画像データＰ１〜Ｐ６が読み出され、図１１（Ａ）に示すように、当該各画像データＰ１〜Ｐ６を順次横に並べて一覧にした検索履歴画像画面Ｇｓｈがタッチパネル表示部１７に表示される（ステップＡ３）。
【００６９】
このタッチパネル表示部１７に表示された検索履歴画像画面Ｇｓｈにおいて、図１１（Ｂ）に示すように、何れかの検索画面の画像データＰｎ（ここでは検索画面Ｇｃ２の画像データＰ５）がユーザタッチＴされると（ステップＡ４（Ｙｅｓ））、タッチされた画像データＰ５が最前面に移動されて表示される（ステップＡ５）。
【００７０】
さらに、前記検索履歴画像画面Ｇｓｈ上でのユーザタッチＴを左右方向に移動（ここでは左移動ｌｓ）させて別の検索画面の画像データＰｎが新たにタッチされる都度（ステップＡ６（Ｙｅｓ））、この新たにタッチされた画像データＰｎが最前面に移動されて表示される（ステップＡ５）。
【００７１】
これにより、登録された検索履歴における各検索段階での検索画面Ｇａ，Ｇｂ，…の内容を、素早く選択して確認できようになる。
【００７２】
ここで、図１１（Ｃ）に示すように、ユーザタッチＴされて最前面に移動表示された検索画面［ジャンプ検索辞書選択画面Ｇｃ２］の画像データＰ５上で、当該ユーザタッチＴの移動が一定時間停止されたと判断されるか（ステップＡ７（Ｙｅｓ））、または図１２（Ａ）に示すように、同検索画面［ジャンプ検索辞書選択画面Ｇｃ２］の画像データＰ５上で、当該ユーザタッチＴが上下方向に移動（ここでは下方向ｄｓ）され、項目（ここではジャンプ先辞書）を選択するユーザ操作がされている判断されると（ステップＡ８（Ｙｅｓ））、前記ユーザタッチＴされている検索画面［ジャンプ検索辞書選択画面Ｇｃ２］の画像データＰ５に対応付けられて前記検索履歴データメモリ１２ｄ（図３参照）に登録されている動作データが再実行され、実際の検索画面［ジャンプ検索辞書選択画面Ｇｃ２］がユーザ操作可能に再作成されると共に、前記画像データＰ５と入れ替えられて表示される（ステップＡ９）。
【００７３】
するとこの後、前記検索履歴画像画面Ｇｓｈ上で最前面に移動表示された画像データＰｎと入れ替えられた実際の検索画面での検索状態に応じた処理ステップ（Ａ）（Ｂ）（Ｃ）（Ｄ）（Ｅ）へと移行されるもので、ここでは、前記画像データＰ５と入れ替えられた［ジャンプ検索辞書選択画面Ｇｃ２］での検索状態に応じた処理ステップ（Ｄ）へと移行される（ステップＡ１０）。
【００７４】
すなわち、前記検索履歴画像画面Ｇｓｈ上での［ジャンプ検索辞書選択画面Ｇｃ２］において、前記図１２（Ａ）で示したように、ジャンプ検索先の辞書（ここでは［国際大百科事典］）がユーザタッチＴされて指定表示ｈされると（ステップＡ１０）、処理ステップ（Ｄ）へと移行され、当該［国際大百科事典］が指定表示ｈされた［ジャンプ検索辞書選択画面Ｇｃ２］の画像データＰ５がその動作データと対応付けられて、検索履歴データメモリ１２ｄの履歴データ（操作対応画像）５として上書きで登録される（ステップＳ１９）。
【００７５】
この際、前記検索履歴データメモリ１２ｄ（図３参照）において上書きで登録された履歴データ（操作対応画像）５より先に登録されている各履歴データ６，７は全て消去される。
【００７６】
すると、前記検索履歴画像画面Ｇｓｈが解消されると共に、図１２（Ｂ）に示すように、前記ジャンプ検索先の辞書として指定表示ｈされた［国際大百科事典］を対象に、前記ジャンプ検索対象文字「閏」を検索した見出し語一覧エリアＬｍと見出し語説明情報のプレビューエリアｖｉとを配置した［ジャンプ先見出し語選択画面Ｇｄ１］がタッチパネル表示部１７に表示される（ステップＳ２０）。そして、何れかの見出し語（ここでは「閏年［ウルウドシ］」）がユーザタッチＴされて指定表示ｈされると（ステップＳ２１）、当該［ジャンプ先見出し語選択画面Ｇｄ１］への一遷移が確定し、同［ジャンプ先見出し語選択画面Ｇｄ１］の画像データＰ６がその動作データと対応付けられて、検索履歴データメモリ１２ｄの履歴データ（操作対応画像）６として登録される（ステップＳ２２）。
【００７７】
すると、図７おける検索履歴表示制御処理へ移行され（ステップＳＡ）、前記検索履歴データメモリ１２ｄに前回までの履歴データ（ここでは履歴データ１，２，３，４，５）として登録されている検索画面の画像データ（ここでは検索画面Ｇａ，Ｇｂ１，Ｇｂ２，Ｇｃ１，Ｇｃ２の画像データＰ１，Ｐ２，Ｐ３，Ｐ４，Ｐ５）が並べられ、当該画像データが縮小された検索履歴アイコンＨＳとして前記タッチパネル表示部１７の左下に表示される（ステップＡ１，Ａ２（Ｎｏ）→リターン）。
【００７８】
さらに、前記［国際大百科事典］を対象にした［ジャンプ先見出し語選択画面Ｇｄ１］での検索状態に応じた同一の処理ステップにおいて、図１２（Ｃ）に示すように、別の見出し語（ここでは「閏［ウルウ］」）がユーザタッチＴされて指定表示ｈされると（ステップＳ２１）、［ジャンプ先見出し語選択画面Ｇｄ２］への一遷移が確定し、同［ジャンプ先見出し語選択画面Ｇｄ２］の画像データＰ７がその動作データと対応付けられて、検索履歴データメモリ１２ｄの履歴データ（操作対応画像）７として登録される（ステップＳ２２）。
【００７９】
すると、図７おける検索履歴表示制御処理へ移行され（ステップＳＡ）、前記検索履歴データメモリ１２ｄに前回までの履歴データ（ここでは履歴データ１，２，３，４，５，６）として登録されている検索画面の画像データ（ここでは検索画面Ｇａ，Ｇｂ１，Ｇｂ２，Ｇｃ１，Ｇｃ２，Ｇｄ１の画像データＰ１，Ｐ２，Ｐ３，Ｐ４，Ｐ５，Ｐ６）が並べられ、当該画像データが縮小された検索履歴アイコンＨＳとして前記タッチパネル表示部１７の左下に表示される（ステップＡ１，Ａ２（Ｎｏ）→リターン）。
【００８０】
そして、図１３（Ａ）に示すように、前記選択された見出し語「閏［ウルウ］」に対応した説明情報がジャンプ先辞書［国際大百科事典］から読み出され［説明情報表示画面Ｇｂ３］としてタッチパネル表示部１７に表示される（ステップＳ２３）。
【００８１】
これにより、登録された検索履歴における各検索段階での検索画面Ｇａ，Ｇｂ，…の内容を素早く選択して確認できるだけでなく、当該選択された検索段階から再び別の検索操作を行うことができる。
【００８２】
この見出し語「閏［ウルウ］」に対応した［説明情報表示画面Ｇｂ３］への一遷移が確定すると、当該［説明情報表示画面Ｇｂ３］の画像データＰ８がその動作データと対応付けられて、検索履歴データメモリ１２ｄ（図３参照）の履歴データ（操作対応画像）８として登録される（ステップＳ２４）。
【００８３】
すると、図７おける検索履歴表示制御処理へ移行され（ステップＳＡ）、前記検索履歴データメモリ１２ｄに前回までの履歴データ（ここでは履歴データ１，２，３，４，５，６，７）として登録されている検索画面の画像データ（ここでは検索画面Ｇａ，Ｇｂ１，Ｇｂ２，Ｇｃ１，Ｇｃ２，Ｇｄ１，Ｇｄ２の画像データＰ１，Ｐ２，Ｐ３，Ｐ４，Ｐ５，Ｐ６，Ｐ７）が並べられ、当該画像データが縮小された検索履歴アイコンＨＳとして前記タッチパネル表示部１７の左下に表示される（ステップＡ１）。
【００８４】
ここで再び、前記一連の情報検索制御処理に応じた検索履歴データ（１２ｄ）を利用して、その何れかの検索画面から別の検索画面へと遷移させて新たな検索を行いたい場合に、タッチパネル表示部１７の左下に表示されている検索履歴アイコンＨＳがユーザタッチＴされると（ステップＡ２（Ｙｅｓ））、前記検索履歴データメモリ１２ｄに前回までの履歴データ１〜７として登録されている各検索画面Ｇａ〜Ｇｄ２の画像データＰ１〜Ｐ７が読み出され、図１３（Ｂ）に示すように、当該各画像データＰ１〜Ｐ７を順次並べて一覧にした検索履歴画像画面Ｇｓｈがタッチパネル表示部１７に表示される（ステップＡ３）。
【００８５】
このタッチパネル表示部１７に表示された検索履歴画像画面Ｇｓｈにおいて、図１３（Ｃ）に示すように、何れかの検索画面の画像データＰｎ（ここでは検索画面Ｇｂ１の画像データＰ２）がユーザタッチＴされると（ステップＡ４（Ｙｅｓ））、タッチされた画像データＰ２が最前面に移動されて表示される（ステップＡ５）。
【００８６】
これにより、改めて登録された検索履歴における各検索段階での検索画面Ｇａ，Ｇｂ，…の内容を、素早く選択して確認できようになる。
【００８７】
さらに、図１４（Ａ）に示すように、ユーザタッチＴされて最前面に移動表示された検索画面［すぐ出る検索画面Ｇａ］の画像データＰ１上で、当該ユーザタッチＴの移動が一定時間停止されたと判断されるか（ステップＡ７（Ｙｅｓ））、または図１４（Ｂ）（Ｃ）に示すように、同検索画面［すぐ出る検索画面Ｇａ］の画像データＰ１上で、当該ユーザタッチＴが上下方向に移動され、項目（ここでは見出し語）を選択するユーザ操作がされている判断されると（ステップＡ８（Ｙｅｓ））、前記ユーザタッチＴされている検索画面［すぐ出る検索画面Ｇａ］の画像データＰ１に対応付けられて前記検索履歴データメモリ１２ｄ（図３参照）に登録されている動作データが再実行され、実際の検索画面［すぐ出る検索画面Ｇａ］がユーザ操作可能に再作成されると共に、前記画像データＰ１と入れ替えられて表示される（ステップＡ９）。
【００８８】
するとこの後、前記検索履歴画像画面Ｇｓｈ上で最前面に移動表示された画像データＰｎと入れ替えられた実際の検索画面での検索状態に応じた処理ステップ（Ａ）（Ｂ）（Ｃ）（Ｄ）（Ｅ）へと移行されるもので、ここでは、前記画像データＰ１と入れ替えられた［すぐ出る検索画面Ｇａ］での見出し語選択を伴う検索状態に応じた処理ステップ（Ｂ）へと移行される（ステップＡ１０）。
【００８９】
すると、前記検索履歴画像画面Ｇｓｈの実際の［すぐ出る検索画面Ｇａ］上での見出し語一覧ＬｍにおけるユーザタッチＴに応じた選択見出し語の変化に応じて、それぞれ選択された見出し語に対応する説明情報が読み出されてプレビューエリアｖｉに入れ替えられて表示される（ステップＳ９）。
【００９０】
一方、前記検索履歴画像画面Ｇｓｈ上での［すぐ出る検索画面Ｇａ］において、図１５（Ａ）に示すように、ユーザタッチＴをその見出し語一覧エリアＬｍから検索語入力エリアｅまで連続的に上移動ｕｓさせて離すことで、当該ユーザタッチＴが検出されなくなった判断されると（ステップＡ６（Ｎｏ）→Ａ７（Ｎｏ）→Ａ８（Ｎｏ））、図１５（Ｂ）に示すように、当該検索履歴画像画面Ｇｓｈを解消した［すぐ出る検索画面Ｇａ］の通常表示状態に戻り（ステップＡ１１（Ｙｅｓ））、その検索語入力エリアｅへの入力待ち状態になる（処理ステップ（Ａ）に移行）。
【００９１】
そして、前記［すぐ出る検索画面Ｇａ］の検索語入力エリアｅに既に入力表示されている検索語「うるう」に続けて「びょう」が入力されると、当該［すぐ出る検索画面Ｇａ］の動作に応じて選択されている辞書［複数辞書］を対象に前記入力された検索語「うるうびょう」に対応した見出し語が検索され、見出し語一覧エリアＬｍに一覧表示される（ステップＳ３〜Ｓ５）。
【００９２】
すると、前記見出し語一覧エリアＬｍに一覧表示された先頭の見出し語「うるう・びょう」が反転されて指定表示ｈされ、この指定表示ｈされた見出し語の説明情報が該当の辞書から読み出されプレビューエリアｖｉに表示される（ステップＳ６）。
【００９３】
これにより、改めて登録された検索履歴における各検索段階での検索画面Ｇａ，Ｇｂ，…の内容を素早く選択して確認できるだけでなく、当該選択された検索段階から再び別の検索操作を行うことができる。
【００９４】
なお、前記情報検索機能の動作説明では、情報検索制御プログラム１２ａの起動に伴い、辞書検索モードが選択された場合（ステップＳ１（Ｙｅｓ））について説明したが、テキスト閲覧モードが選択された場合（ステップＳ２５（Ｙｅｓ））、テキストデータベース１２ｃに記憶されている任意のテキストデータを選択してタッチパネル表示部１７に表示させ閲覧することができる（ステップＡ２６）。
【００９５】
このテキスト閲覧モードによってタッチパネル表示部１７に表示された任意のテキスト表示画面において、調べたい文字（文字列）を検索対象としてユーザタッチＴして指定表示ｈさせると（ステップＳ２７（Ｙｅｓ））、ジャンプ検索開始の処理ステップ（Ｃ）に移行される。
【００９６】
すると、前記検索対象の文字に応じて［ジャンプ検索辞書選択画面Ｇｃ１］を表示させる処理（ステップＳ１６）以降、前記同様の情報検索制御処理が実行される。
【００９７】
したがって、前記構成のタッチパネル式ＰＤＡ１０による情報検索制御機能によれば、一連の検索処理に伴い各検索動作に応じた検索画面Ｇａ，Ｇｂ，…が生成されてタッチパネル表示部１７に表示される毎に、当該各検索画面Ｇａ，Ｇｂ，…の画像データＰ１，Ｐ２，…と各画面生成時の動作データとが対応付けられて検索履歴データメモリ１２ｄに順番に登録される。登録された各検索画面Ｇａ，Ｇｂ，…の画像データＰ１，Ｐ２，…は、検索履歴アイコンＨＳのユーザ操作に応じて、当該各画像データＰ１，Ｐ２，…を横に並べて一覧にした検索履歴画像画面Ｇｓｈとして表示される。この検索履歴画像画面Ｇｓｈにおいて、任意の検索画面Ｇの画像データＰｎがユーザタッチＴされて選択されると、選択された画像データＰｎに対応付けられて登録されている動作データが再実行されてその検索画面Ｇが再生成されタッチパネル表示部１７に再表示される。
【００９８】
このため、登録された検索履歴における各検索段階での検索画面Ｇａ，Ｇｂ，…の内容を画像データＰ１，Ｐ２，…として素早く選択して確認できるだけでなく、当該選択された検索段階から再び新たな検索処理を行うことができる。
【００９９】
また、前記構成のタッチパネル式ＰＤＡ１０による情報検索制御機能によれば、前記検索履歴画像画面ＧｓｈにおいてユーザタッチＴされて選択された何れかの画像データＰｎに対するタッチ時間が一定時間以上継続されると、当該選択された画像データＰｎに対応した検索画面Ｇが再生成されて再表示されるので、検索履歴の選択による任意の検索段階への移行動作を迅速かつ確実に行うことができる。
【０１００】
また、前記各検索画面Ｇａ，Ｇｂ，…には、検索された見出し語を上下方向に配列した見出し語一覧エリアＬｍと当該一覧エリアＬｍで選択された見出し語に対応する説明情報のプレビューエリアｖｉとを併せてなる検索画面Ｇａ，Ｇｄが含まれ、前記検索履歴画像画面Ｇｓｈでの各画像データＰ１，Ｐ２，…は左右方向に順番に並べられて一覧表示される。
【０１０１】
このため、前記検索履歴画像画面ＧｓｈでのユーザタッチＴを左右方向に移動させることで任意の検索画面Ｇの画像データＰｎを選択した後に、当該選択された画像データＰｎに応じて再作成表示された検索画面Ｇが前記見出し語一覧エリアＬｍを有する検索画面Ｇａ，Ｇｄである場合には、その見出し語一覧エリアＬｍでのユーザタッチＴを上下方向に移動させることで、任意の見出し語に対応した説明情報を容易かつ迅速に表示させることができる。
【０１０２】
さらに、前記各検索画面Ｇａ，Ｇｂ，…には、検索文字の入力エリアｅと入力された検索文字に対応する見出し語を検索して一覧にした見出し語一覧エリアＬｍと当該一覧エリアＬｍで選択された見出し語に対応する説明情報のプレビューエリアｖｉとを併せてなる［すぐ出る検索画面Ｇａ］が含まれる。
【０１０３】
このため、前記検索履歴画像画面ＧｓｈでのユーザタッチＴを左右方向に移動させることで任意の検索画面Ｇの画像データＰｎを選択した後に、当該選択された画像データＰｎに応じて再作成表示された検索画面Ｇが前記［すぐ出る検索画面Ｇａ］である場合には、そのユーザタッチＴを見出し語一覧エリアＬｍに移動させて離すと、選択された見出し語に対応した説明情報表示画面Ｇｂを直ちに表示させることができ、また、検索文字入力エリアｅに移動させて離すと、検索文字の入力待ち状態に直ちに設定できるようになる。
【０１０４】
なお、前記実施形態において記載したタッチパネル式ＰＤＡ１０による各処理の手法およびデータベース、すなわち、図５、図６のフローチャートに示す情報検索制御処理、図７のフローチャートに示す前記情報検索制御処理に伴う検索履歴表示制御処理等の各手法、および辞書データベース１２ｂ、テキストデータベース１２ｃは、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１３に格納して配布することができる。タッチパネル式表示部（１７）を備えた電子機器のコンピュータは、この外部記録媒体１３に記憶されたプログラムを記憶装置（１２）に読み込み、この読み込んだプログラムによって動作が制御されることにより、前記実施形態において説明した情報検索制御機能を実現し、前述した手法による同様の処理を実行することができる。
【０１０５】
また、前記各手法を実現するためのプログラムのデータは、プログラムコードの形態としてネットワークＮ上を伝送させることができ、このプログラムデータを、ネットワークＮに接続されたコンピュータに通信部１５によって取り込むことで、前述した情報検索制御機能を実現することもできる。
【０１０６】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組合せにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１０７】
以下に、本願出願の当初の特許請求の範囲に記載された発明を付記する。
【０１０８】
［１］
表示部と、
ユーザ操作に応じた検索処理に対応した検索画面を生成して前記表示部に表示させる検索画面生成手段と、
前記検索画面生成手段により検索画面が順次生成されて表示される毎に、当該検索画面の画像データと当該検索画面の生成に伴う動作情報とを対応付けて登録する検索履歴登録手段と、
この検索履歴登録手段により登録された各検索画面の画像データを前記表示部に一覧表示させる検索履歴一覧表示制御手段と、
この検索履歴一覧表示制御手段により表示された各検索画面の画像データの何れかをユーザ操作に応じて選択する履歴画像選択手段と、
この履歴画像選択手段により選択された画像データと対応付けられて前記検索履歴登録手段により登録されている動作データに基づき、当該画像データに対応する検索画面をユーザ操作可能に再作成して、前記表示部に表示させる検索画面再表示制御手段と、
を備えたことを特徴とする情報検索装置。
【０１０９】
［２］
前記履歴画像選択手段により一定時間以上同じ検索画面の画像データが選択されたか否かを判断する選択継続判断手段を備え、
前記検索画面再表示制御手段は、前記選択継続判断手段により一定時間以上同じ検索画面の画像データが選択されたと判断された場合に、当該選択された画像データと対応付けられて前記検索履歴登録手段により登録されている動作データに基づき、同画像データに対応する検索画面を再作成して前記表示部に表示させる、
ことを特徴とする［１］に記載の情報検索装置。
【０１１０】
［３］
前記表示部は、タッチパネル式表示部であって、
前記検索処理に対応した検索画面には、検索された見出し語を上下方向に配列した見出し語一覧エリアと当該見出し語一覧エリアでタッチ選択された見出し語に対応する説明情報を表記したプレビューエリアとを併せてなる検索画面が含まれ、
前記検索履歴一覧表示制御手段は、前記検索履歴登録手段により登録された各検索画面の画像データを前記タッチパネル式表示部に左右方向に順番に並べて一覧表示させ、
前記履歴画像選択手段は、前記検索履歴一覧表示制御手段により左右方向に並べて表示された各検索画面の画像データの何れかをユーザタッチ操作に応じて選択する、
ことを特徴とする［１］または［２］に記載の情報検索装置。
【０１１１】
［４］
前記検索処理に対応した検索画面には、さらに、タッチ操作により検索文字の入力待ちに設定される検索文字入力エリアと当該検索文字入力エリアに入力された検索文字に対応して検索された見出し語を一覧にした見出し語一覧エリアと当該見出し語一覧エリアでタッチ選択された見出し語に対応する説明情報を表記したプレビューエリアとを併せてなるすぐ出る検索画面が含まれる、
ことを特徴とする［３］に記載の情報検索装置。
【０１１２】
［５］
表示部を備えた電子機器のコンピュータを制御するための情報検索方法であって、
ユーザ操作に応じた検索処理に対応した検索画面を生成して前記表示部に表示させ、
前記検索処理に対応した検索画面が順次生成されて表示される毎に、当該検索画面の画像データと当該検索画面の生成に伴う動作情報とを対応付けて登録し、
この登録された各検索画面の画像データを前記表示部に一覧表示させ、
この一覧表示された各検索画面の画像データの何れかをユーザ操作に応じて選択し、
この選択された画像データと対応付けられて前記登録されている動作データに基づき、当該画像データに対応する検索画面をユーザ操作可能に再作成して、前記表示部に表示させる、
ことを特徴とする情報検索方法。
【０１１３】
［６］
表示部を備えた電子機器のコンピュータを制御するためのプログラムであって、
前記コンピュータを、
ユーザ操作に応じた検索処理に対応した検索画面を生成して前記表示部に表示させる検索画面生成手段、
前記検索画面生成手段により検索画面が順次生成されて表示される毎に、当該検索画面の画像データと当該検索画面の生成に伴う動作情報とを対応付けて登録する検索履歴登録手段、
この検索履歴登録手段により登録された各検索画面の画像データを前記表示部に一覧表示させる検索履歴一覧表示制御手段、
この検索履歴一覧表示制御手段により表示された各検索画面の画像データの何れかをユーザ操作に応じて選択する履歴画像選択手段、
この履歴画像選択手段により選択された画像データと対応付けられて前記検索履歴登録手段により登録されている動作データに基づき、当該画像データに対応する検索画面をユーザ操作可能に再作成して、前記表示部に表示させる検索画面再表示制御手段、
として機能させるためのプログラム。
【符号の説明】
【０１１４】
１０  …タッチパネル式ＰＤＡ
１１  …ＣＰＵ
１２  …メモリ
１２ａ…情報検索制御プログラム
１２ｂ…辞書データベース
１２ｃ…テキストデータベース
１２ｄ…検索履歴データベース
１３  …外部記録媒体
１４  …記録媒体読取部
１５  …通信部
１６  …キー入力部
１７  …タッチパネル式カラー表示部
Ｔ    …ユーザタッチ
Ｇａ  …［すぐ出る検索画面］
ｅ    …検索語入力エリア
Ｌｍ  …見出し語一覧エリア
ｖｉ  …プレビューエリア
Ｇｂ  …［説明情報表示画面］
Ｇｃ  …［ジャンプ検索辞書選択画面］
Ｇｄ  …［ジャンプ先見出し語選択画面］
ｈ    …指定表示
ＨＳ  …検索履歴アイコン
Ｇｓｈ…検索履歴画像画面
Ｐ１〜Ｐ７…各検索画面の画像データ
【図１】
2014063284.tif 000003
【図２】
2014063284.tif 000004
【図３】
2014063284.tif 000005
【図４】
2014063284.tif 000006
【図５】
2014063284.tif 000007
【図６】
2014063284.tif 000008
【図７】
2014063284.tif 000009
【図８】
2014063284.tif 000010
【図９】
2014063284.tif 000011
【図１０】
2014063284.tif 000012
【図１１】
2014063284.tif 000013
【図１２】
2014063284.tif 000014
【図１３】
2014063284.tif 000015
【図１４】
2014063284.tif 000016
【図１５】
2014063284.tif 000017